(57)【要約】【課題】グリップ部を筐体に取り付けるためのめねじ部を設けるスペースを確保する必要上、筐体が大型化してしまう。【解決手段】電子機器を、筐体と、筐体の表面に形成された凸部に設けられためねじ部と、グリップ部と、めねじ部に螺合されることにより、筐体とグリップ部とを着脱可能に締結するおねじ部とを備える構成とする。【選択図】図１
2018116119.tif 000002
【特許請求の範囲】
【請求項１】
筐体と、
前記筐体の表面に形成された凸部に設けられためねじ部と、
グリップ部と、
前記めねじ部に螺合されることにより、前記筐体と前記グリップ部とを着脱可能に締結するおねじ部と、
を備える、
電子機器。
【請求項２】
前記凸部は、
前記筐体の表面と前記グリップ部の内壁面とによって規定されるスペースに収容される、
請求項１に記載の電子機器。
【請求項３】
前記凸部は、
前記筐体の前面に形成されており、
前記筐体の前面に対して角度をなす斜面を有しており、
前記めねじ部が前記斜面に設けられており、
前記おねじ部は、
前記筐体の前面に対して角度をなす向きで前記めねじ部に螺合されている、
請求項１又は請求項２に記載の電子機器。
【請求項４】
前記グリップ部は、
前記筐体の前面と略平行な第１グリップ面と、
前記第１グリップ面に対して傾斜する第２グリップ面と、
前記第２グリップ面に形成された貫通軸孔と、
を有しており、
前記おねじ部は、
前記貫通軸孔を介して前記めねじ部に螺合されている、
請求項３に記載の電子機器。
【請求項５】
前記貫通軸孔内で前記おねじ部を前記第２グリップ面から突出する方向に付勢する付勢部材と、
前記付勢部材によって付勢されたおねじ部の位置を規制する第一規制部材と、
前記付勢部材の付勢力に抗する方向の前記おねじ部の位置を規制する第二規制部材と、
を有し、
前記おねじ部は、
前記貫通軸孔内に配置され、前記貫通軸孔内において、前記第一規制部材によって規制される位置から前記第二規制部材によって規制される位置まで移動可能となっている、
請求項４に記載の電子機器。
【請求項６】
前記筐体は、
少なくとも１つの係合部が前記表面に形成されており、
前記少なくとも１つの係合部の夫々が、前記グリップ部に形成された、対応する各被係合部と係合している、
請求項１から請求項５の何れか一項に記載の電子機器。
【請求項７】
筐体と、
前記筐体の表面に形成された凸部に設けられており、グリップ部に備えられるおねじ部が螺合されることにより、前記筐体と前記グリップ部とを着脱可能に締結するめねじ部と、
を備える、
電子機器の本体部。
【請求項８】
グリップ面が形成された本体部と、
前記グリップ面に形成された貫通軸孔と、
電子機器の筐体の表面に形成された凸部に設けられためねじ部に前記貫通軸孔を介して螺合されることにより、前記筐体と前記本体部とを着脱可能に締結するおねじ部と、
を備える、
電子機器のグリップ部。
【発明の詳細な説明】
【技術分野】
【０００１】
本発明は、電子機器、電子機器の本体部及びグリップ部に関するものである。
【背景技術】
【０００２】
デジタルカメラ等の電子機器においてグリップ部を交換することができるものが知られている。例えば特許文献１に、この種の電子機器の具体的構成が記載されている。
【０００３】
特許文献１に記載の電子機器では、筐体側面に形成された止孔に栓体等の部材を取り付けることにより、グリップ部が筐体に取り付けられている。
【先行技術文献】
【特許文献】
【０００４】
【特許文献１】特開２００５−２０９７２５号公報
【発明の概要】
【発明が解決しようとする課題】
【０００５】
特許文献１に記載の構成では、グリップ部を筐体に取り付けるための止孔を筐体側面を介して筐体内部に形成する必要がある。止孔を形成するスペースを確保する必要上、筐体が大型化するという問題が指摘される。
【０００６】
本発明は上記の事情に鑑みてなされたものであり、その目的とするところは、グリップ部を着脱することが可能な構成において筐体を小型化するのに好適な電子機器、電子機器の本体部及びグリップ部を提供することである。
【課題を解決するための手段】
【０００７】
本発明の一実施形態に係る電子機器は、筐体と、筐体の表面に形成された凸部に設けられためねじ部と、グリップ部と、めねじ部に螺合されることにより、筐体とグリップ部とを着脱可能に締結するおねじ部とを備える。
【発明の効果】
【０００８】
本発明の一実施形態によれば、グリップ部を着脱することが可能な構成において筐体を小型化するのに好適な電子機器、電子機器の本体部及びグリップ部が提供される。
【図面の簡単な説明】
【０００９】
【図１】本発明の一実施形態においてグリップ部がカメラボディに取り付けられているときの電子機器の斜視図（図１（ａ））、及びグリップ部がカメラボディから外されているときの電子機器の斜視図（図１（ｂ））である。
【図２】図１（ａ）に示される電子機器を切断したときの断面図（図２（ａ））、及び図１（ｂ）に示される電子機器を切断したときの断面図（図２（ｂ））である。
【図３】筐体の前カバー側から視たときのグリップ部単体の斜視図（図３（ａ））、及び分解斜視図（図３（ｂ））である。
【図４】大サイズのグリップ部がカメラボディに取り付けられているときの電子機器の斜視図（図４（ａ））、当該グリップ部がカメラボディから外れているときの斜視図（図４（ｂ））、及び筐体の前カバー側から視たときの当該グリップ部単体の斜視図（図４（ｃ））である。
【発明を実施するための形態】
【００１０】
以下、本発明の実施形態について図面を参照しながら説明する。
【００１１】
図１は、本発明の一実施形態に係る電子機器１の構成を示す図である。図１に示されるように、本実施形態に係る電子機器１は、撮影装置の一形態であるデジタル一眼レフカメラである。電子機器１は、デジタル一眼レフカメラに限らず、ミラーレス一眼カメラ、コンパクトデジタルカメラ、ビデオカメラ、カムコーダ、タブレット端末、ＰＨＳ（Personal Handy phone System）、スマートフォン、フィーチャフォン、ゲーム機、双眼鏡等の、ユーザが把持して使用する他の形態の電子機器や光学機器に置き換えてもよい。
【００１２】
図１に示されるように、電子機器１は、カメラボディ（カメラ本体部）１０及びグリップ部２０Ｓを備えている。グリップ部２０Ｓは、カメラボディ１０に対して着脱可能となっている。図１（ａ）は、グリップ部２０Ｓがカメラボディ１０に取り付けられているときの斜視図である。図１（ｂ）は、グリップ部２０Ｓがカメラボディ１０から外されているときの斜視図である。なお、マウント部１０２の中心軸（言い換えると、カメラボディ１０に着脱可能に取り付けられる交換レンズの光軸）の方向をＺ方向と定義し、Ｚ方向と直交し且つ互いに直交する垂直方向、水平方向をそれぞれＹ方向、Ｘ方向と定義する。
【００１３】
グリップ部２０Ｓは、おねじ部２０２を有している。図２に、おねじ部２０２の中心軸を含むＸＺ面で電子機器１を切断したときの断面図を示す。図２（ａ）は、図１（ａ）に示される電子機器１を切断したときの断面図を示す。図２（ｂ）は、図１（ｂ）に示される電子機器１を切断したときの断面図を示す。図２（ｃ）は、図２（ａ）のうちカメラボディ１０とグリップ部２０Ｓとの接続部周りの断面を拡大して示す拡大断面図である。図２（ｄ）は、図２（ｂ）のうちカメラボディ１０とグリップ部２０Ｓとの接続部周りの断面を拡大して示す拡大断面図である。
【００１４】
電子機器１は、筐体１０４を有している。筐体１０４は、前カバー１０４Ａ、後カバー１０４Ｂ、上カバー１０４Ｃ及び下カバー１０４Ｄを備えている。前カバー１０４Ａと後カバー１０４Ｂとが取り付けられた状態で上方から上カバー１０４Ｃが取り付けられ、次いで、下カバー１０４Ｄが下方から取り付けられると、筐体１０４が完成する。
【００１５】
グリップ部２０Ｓは、前カバー１０４Ａ（すなわち、筐体１０４の前面）に着脱可能に取り付けられる。前カバー１０４Ａを挟んだグリップ部２０Ｓの反対側（筐体１０４内部）には、電池室１０６が設けられている。電池室１０６には、バッテリ１０８が着脱可能に収容されている。
【００１６】
図２に示されるように、バッテリ１０８は、外形が略直方体であり、厚み方向が筐体１０４の厚み方向と一致する向きで電池室１０６内に収容されている。バッテリ１０８は、高さ、幅及び厚みの中で厚み方向の寸法が最も小さい。そのため、バッテリ１０８を収容する電池室１０６の厚み方向の寸法が抑えられ、電子機器１（より正確には筐体１０４）の薄型化が達成される。
【００１７】
図１に示されるように、筐体１０４の前面（前カバー１０４Ａ）においてグリップ部２０Ｓの上方には前面側電子ダイヤル１１０が設けられている。前面側電子ダイヤル１１０は、Ｚ方向に延びる軸を中心に回転する回転操作部であり、一例として、絞り値やシャッタスピードを選択する機能が割り当てられる。
【００１８】
図１に示されるように、前カバー１０４Ａには、前面側電子ダイヤル１１０とグリップ部２０Ｓとの境界位置に、前面側電子ダイヤル１１０の下方側を取り囲う円弧状の保護部１０４Ａａが形成されている。保護部１０４Ａａが形成されていることにより、例えば、グリップ部２０Ｓを把持するユーザの手が前面側電子ダイヤル１１０に意図せずに接触することによる、前面側電子ダイヤル１１０の誤操作が防止される。また、前カバー１０４Ａに対してグリップ部２０Ｓを着脱する際の前面側電子ダイヤル１１０とグリップ部２０Ｓとの機械的干渉が保護部１０４Ａａによって防止される。そのため、グリップ部２０Ｓによる前面側電子ダイヤル１１０の損傷が避けられる。
【００１９】
図１及び図２に示されるように、前カバー１０４Ａの外壁面１０４Ａｂ（筐体１０４の前面）には、ＸＺ面における断面が略直角三角形状となる凸部１１２が形成されている。凸部１１２は、前カバー１０４Ａの外壁面１０４Ａｂに対して角度をなす斜面１１２ａを有している。斜面１１２ａには、めねじ部１１４が設けられている。なお、図２中、説明の便宜上、外壁面１０４Ａｂから延ばした延長線を一点鎖線にて示す。
【００２０】
めねじ部１１４を凸部１１２に設けることにより、めねじ部１１４の略全体を前カバー１０４Ａの外壁面より突出した箇所に設けることができる。これにより、前カバー１０４Ａの内壁面と、当該内壁面と対向する後カバー１０４Ｂの内壁面との間のスペースにめねじ部１１４を設ける場合と比べて、筐体１０４を小型化することができる。より詳細には、図２（ａ）に示される筐体１０４の厚みＴ（前カバー１０４Ａの外壁面１０４Ａｂ（筐体１０４の前面）から後カバー１０４Ｂの外壁面（筐体１０４の背面）までの寸法）を薄くすることができる。
【００２１】
図３（ａ）、図３（ｂ）のそれぞれに、前カバー１０４Ａ側から視たときのグリップ部２０Ｓ単体の斜視図、分解斜視図を示す。図３に示されるように、グリップ部２０Ｓは、本体部２０４を備えている。本体部２０４の前面は、多面形状となっている。本体部２０４の前面には、略全域に亘ってシボ加工が施されており、グリップ面が形成されている。グリップ面のうち、前カバー１０４Ａの外壁面１０４Ａｂと略平行な面を「第１グリップ面２０４ａ」と記し、第１グリップ面２０４ａに対して傾斜する面であって、おねじ部２０２が取り付けられている面を「第２グリップ面２０４ｂ」と記す。なお、厳密には、第１グリップ面２０４ａ及び第２グリップ面２０４ｂは、緩やかな曲面である。従って、例示的には、グリップ面の中心点における接平面が前カバー１０４Ａの外壁面１０４Ａｂと平行になる面が第１グリップ面２０４ａとなる。また、例示的には、第２グリップ面２０４ｂは、おねじ部２０２の軸中心における接平面が第１グリップ面２０４ａ（外壁面１０４Ａｂと平行な接平面）に対して所定の角度θをなす面となる。
【００２２】
第２グリップ面２０４ｂには、おねじ部２０２が挿通される貫通軸孔２０６が形成されている。貫通軸孔２０６内には、スリーブ部材２０８の円筒部２０８ａがおねじ部２０２の円筒部（頭部とねじ部との間にあるねじのない部分）を覆った状態で挿入されている。
【００２３】
貫通軸孔２０６内には、付勢部材（コイルばね）２１０がスリーブ部材２０８の円筒部２０８ａの外周面を取り囲うように配置されている。貫通軸孔２０６は段付き孔となっている。コイルばね２１０は、貫通軸孔２０６内の第一段差２０６ａとおねじ部２０２の頭部との間で圧縮されており、おねじ部２０２を第２グリップ面２０４ｂから突出する方向に付勢している。
【００２４】
スリーブ部材２０８の一端には、貫通軸孔２０６の直径よりも大きい外径を持つ環状フランジ２０８ｂが形成されている。おねじ部２０２の円筒部には、環状フランジ２０８ｂを挟んだ段差２０６ａの反対側に溝が形成されている。この溝には、座金２１２が嵌合している。これにより、スリーブ部材２０８は、おねじ部２０２に対する位置が固定されている。
【００２５】
グリップ部２０Ｓがカメラボディ１０から外されている状態では、おねじ部２０２は、コイルばね２１０の付勢力により、環状フランジ２０８ｂが貫通軸孔２０６の周辺に位置する内壁面２０４ｃに当接する位置まで付勢される。おねじ部２０２は、コイルばね２１０によって付勢された方向への移動が環状フランジ２０８ｂによって規制されることにより、図２（ｄ）に示されるように、頭部が第２グリップ面２０４ｂから僅かに突出する位置で停止する。また、おねじ部２０２は、頭部を押されると（言い換えると、コイルばね２１０の付勢力に抗する方向に外力が加えられると）、頭部が貫通軸孔２０６内の第二段差２０６ｂに当接する位置まで移動可能となっている。すなわち、おねじ部２０２は、貫通軸孔２０６において、環状フランジ２０８ｂが内壁面２０４ｃに当接する位置から頭部が第二段差２０６ｂに当接する位置まで移動可能となっている。
【００２６】
グリップ部２０Ｓ（本体部２０４の内壁面２０４ｃ）には、８本のねじ２１８によって板金部材２１４が取り付けられている。例えば、図３（ａ）に示されるように、板金部材２１４が内壁面２０４ｃに取り付けられると、おねじ部２０２のねじ先が板金部材２１４の開口２１４ａから僅かに突出する。
【００２７】
図１（ｂ）に示されるように、前カバー１０４Ａには、係合部１１６ａ〜１１６ｆが設けられている。また、図３（ａ）に示されるように、グリップ部２０Ｓ（本体部２０４の内壁面２０４ｃ）には、被係合部２１６ａ〜２１６ｄが設けられている。また、板金部材２１４には、一対の切り欠き（被係合部）２１６ｅ、２１６ｆが形成されている。各係合部には、同一のアルファベットを末尾に付した被係合部が対応する。
【００２８】
グリップ部２０Ｓを図１（ｂ）のＸ方向（矢印方向）にスライドさせるようにして前カバー１０４Ａに合わせると、各係合部１１６ａ〜１１６ｆが、対応する各被係合部２１６ａ〜２１６ｆと係合する。詳細な例示として、係合部１１６ｅ及び１１６ｆは、小径軸部上に大径軸部が形成された茸状形状を有している。一方、被係合部２１６ｅ及び２１６ｆ（切り欠き）は、係合部１１６ｅ及び１１６ｆの小径軸部と略同じスリット幅を有している。そのため、係合部１１６ｅ及び１１６ｆの小径軸部と被係合部２１６ｅ及び２１６ｆとが係合することにより、ＸＹ面内におけるグリップ部２０Ｓの動き（矢印と反対のＸ方向以外の動き）が規制され、被係合部２１６ｅ及び２１６ｆ（板金部材２１４のうちの切り欠き周辺部分）と係合部１１６ｅ及び１１６ｆの大径軸部とが当接することにより、Ｚ方向におけるグリップ部の動きが規制される。
【００２９】
各係合部と各被係合部とが係合することにより、グリップ部２０Ｓが前カバー１０４Ａに緩く保持される。また、凸部１１２は、前カバー１０４Ａの外壁面１０４Ａｂとグリップ部２０Ｓの内壁面２０４ｃとによって規定されるスペースに収容される。なお、ここに示される係合部・被係合部の形状は一例に過ぎず、他の形状に適宜変更してもよい。例えば、係合部１１６ｂと被係合部２１６ｂは嵌め合い形状であるが、一方を爪形状とし、他方に爪形状を引っ掛ける構成としてもよい。
【００３０】
係合部１１６ａ〜１１６ｆと各被係合部２１６ａ〜２１６ｆとが係合してグリップ部２０Ｓが前カバー１０４Ａに緩く保持されると、おねじ部２０２の位置がめねじ部１１４と略同軸上の位置に決まる。この状態でおねじ部２０２が締められてめねじ部１１４に螺合されると、おねじ部２０２は、頭部が貫通軸孔２０６内の第二段差２０６ｂに当接する位置までコイルばね２１０の付勢力に抗する方向に移動して（例えば図２（ｃ）参照）、前カバー１０４Ａ（筐体１０４）とグリップ部２０Ｓとが締結される。
【００３１】
附言するに、係合部１１６ｅ及び１１６ｆ並びに被係合部２１６ｅ及び２１６ｆは、他の係合部及び被係合部よりも寸法精度の高い金属部分となっている。そのため、これらの二対の係合部・被係合部の係合により、筐体１０４に対するグリップ部２０Ｓの位置が実質的に決まる。従って、少なくとも上記の二対の係合部・被係合部だけでも、筐体１０４に対するグリップ部２０Ｓの位置決めは、高精度に決まる。すなわち、グリップ部２０Ｓは、上記の二対の係合部・被係合部だけで筐体１０４に位置決めされ、おねじ部２０２がめねじ部１１４に螺合されることによって筐体１０４に固定される構成であってもよい。
【００３２】
おねじ部２０２は、前カバー１０４Ａの外壁面１０４Ａｂに対して所定の角度θ（すなわち、第１グリップ面２０４ａと第２グリップ面２０４ｂの上記接平面同士がなす角度と同じ角度）をなす向きでめねじ部１１４に螺合されている。外壁面１０４Ａｂに対するおねじ部２０２の角度を角度θとすることにより、めねじ部１１４の略全体を外壁面１０４Ａｂより突出した箇所に設けつつ凸部１１２の高さ（Ｚ方向の寸法）を低く抑えることができる。角度θは、例えば０°＜θ＜９０°である。
【００３３】
また、例えば、グリップ部の無い状態でカメラ等の電子機器を右手で把持する場合、筐体前面と指と間に３０°〜６５°の方向に長い隙間が生じやすい。そのため、第２グリップ面２０４ｂは、この隙間を埋めるような形状に構成されることが好ましい。具体的には、３０°＜θ＜６５°となる構成が好適である。また、この構成では、より好適に、めねじ部１１４の略全体を外壁面１０４Ａｂより突出した箇所に設けつつ凸部１１２の高さ（Ｚ方向の寸法）を低く抑えることができる。すなわち、凸部１１２の高さを最小限に抑えつつ、めねじ部１１４を効果的に配置することによって筐体１０４の大型化が抑えられる。
【００３４】
凸部１１２の高さを低く抑えることにより、グリップ部２０ＳのＺ方向の寸法が抑えられる。そのため、電子機器１全体の小型化が達成される。
【００３５】
おねじ部２０２がめねじ部１１４に螺合されることにより、おねじ部２０２は、図２（ｃ）に示されるように、頭部を含む全体が貫通軸孔２０６内へ移動する。すなわち、おねじ部２０２は、頭部が第２グリップ面２０４ｂから突出しておらず、頭部を含む全体が貫通軸孔２０６内に配置される。そのため、例えば、ユーザが第２グリップ面２０４ｂに触れたときにおねじ部２０２の頭部に指が引っ掛かる等の問題が生じない。
【００３６】
本実施形態に係る電子機器１には、グリップ部２０Ｓ以外に、グリップ部２０Ｓよりもグリップ面が大きい中サイズのグリップ部、中サイズよりもグリップ面が大きい大サイズのグリップ部Ｌ（図４参照）が用意されている。グリップ面が最も小さい小サイズのグリップ部２０Ｓは、電子機器１の携帯性を重視するユーザに適している。グリップ面が最も大きい大サイズのグリップ部２０Ｌは、電子機器１の把持性を重視するユーザに適している。なお、各サイズには、意匠（例えば色や形、表面処理、材質等）の異なるグリップ部が複数種類用意されていてもよい。また、ハンドストラップ付グリップ部やリモコン受光部付グリップ部など、別の構成要素が追加されたグリップ部（機能付加グリップ部）が複数種類用意されていてもよい。ユーザは、筐体１０４とグリップ部２０Ｓとが締結された状態からおねじ部２０２を緩めてグリップ部２０Ｓを取り外し、好みや把持性を考慮して別のグリップ部を筐体１０４に取り付けることができる。
【００３７】
図４（ａ）に、大サイズのグリップ部２０Ｌがカメラボディ１０に取り付けられているときの斜視図を示す。図４（ｂ）に、グリップ部２０Ｌがカメラボディ１０から外されているときの斜視図を示す。図４（ｃ）に、前カバー１０４Ａ側から視たときのグリップ部２０Ｌ単体の斜視図を示す。
【００３８】
グリップ部２０Ｌは、グリップ部２０Ｓと比べてグリップ面が大きい点以外は実質的に同じ構成を有している。具体的には、グリップ部２０Ｌのグリップ面は、グリップ部２０Ｓと比べてＸＹＺの各方向に対してグリップ面が広く形成されている。グリップ部２０Ｌのグリップ面は、例えば図４（ａ）に示されるように、前面側電子ダイヤル１１０の一部及び保護部１０４Ａａの一部に覆い被さる範囲まで拡げられている。なお、グリップ部２０Ｌは、前面側電子ダイヤル１１０と機械的に干渉しないように、前面側電子ダイヤル１１０に対して逃げた形状となっている。そのため、前面側電子ダイヤル１１０の回転がグリップ部２０Ｌによって阻害されることはない。また、グリップ部２０Ｌのグリップ面は、前面側電子ダイヤル１１０の少なくとも上半分には覆い被さっていない。そのため、ユーザは、グリップ部２０Ｌに阻害されることなく前面側電子ダイヤル１１０に指をかけて回転操作を行うことができる。
【００３９】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００４０】
例えば、めねじ部１１４は、おねじ部２０２が螺合されるだけでなく、三脚や自撮り棒を接続することが可能な形状に設計されてもよい。
【符号の説明】
【００４１】
１  電子機器
１０  カメラボディ
１０２  マウント部
１０４  筐体
１０４Ａ  前カバー
１０４Ａａ  保護部
１０４Ａｂ  （前カバーの）外壁面
１０４Ｂ  後カバー
１０４Ｃ  上カバー
１０４Ｄ  下カバー
１０６  電池室
１０８  バッテリ
１１０  前面側電子ダイヤル
１１２  凸部
１１２ａ  （凸部の）斜面
１１４  めねじ部
１１６ａ〜１１６ｆ  係合部
２０Ｓ、２０Ｌ  グリップ部
２０２  おねじ部
２０４  本体部
２０４ａ  第１グリップ面
２０４ｂ  第２グリップ面
２０４ｃ  （本体部の）内壁面
２０６  貫通軸孔
２０６ａ  （貫通軸孔の）第一段差
２０６ｂ  （貫通軸孔の）第二段差
２０８  スリーブ部材
２０８ａ  （スリーブ部材の）円筒部
２０８ｂ  （スリーブ部材の）環状フランジ
２１０  コイルばね
２１２  座金
２１４  板金部材
２１４ａ  開口
２１６ａ〜２１６ｆ  被係合部
２１８  ねじ
【図１】
2018116119.tif 000003
【図２】
2018116119.tif 000004
【図３】
2018116119.tif 000005
【図４】
2018116119.tif 000006